(57)【要約】      （修正有）【課題】受尿器が袋状といった簡素な構成で取り扱い易くなり、手際よく簡易かつ迅速に排尿処理可能で、併せて安価で使い勝手のよい使捨て排尿具を提供する。【解決手段】男性の泌尿器２に挿通可能で着脱可能に可撓性リング３と、可撓性リング３に連通状態に連結され伸縮可能に設けられ、泌尿器２からの排尿を受ける有底筒状の受尿器４と、受尿器４の内部に設けられて排尿を吸収する吸収体５とを備える。受尿器４を収縮させた状態で、泌尿器２を可撓性リング３から受尿器４に挿通して、受尿器４を使用者の身体に装着する。【選択図】図１
0003219462.tif 000002
【実用新案登録請求の範囲】
【請求項１】
男性の泌尿器に挿通可能で着脱可能に可撓性リングと、
前記可撓性リングに連通状態に連結され、前記可撓性リングに対して伸縮可能に設けられ、前記泌尿器からの排尿を受ける有底筒状の受尿器と、
前記受尿器の内部に設けられて前記排尿を吸収する吸収体とを備え、
前記受尿器を収縮させた状態で、前記泌尿器を前記可撓性リングから前記受尿器に挿通して、前記受尿器を使用者の身体に装着することを特徴とする使捨て排尿具。
【請求項２】
女性の泌尿器に当接可能な可撓性リングと、
前記可撓性リングに連通状態に連結され、矩形の上シートと矩形の下シートとを上下に配置することで袋状に構成した受尿器と、
前記受尿器の内部に設けられて前記排尿を吸収する吸収体とを備え、
女性用ショーツの着用時、前記受尿器を前記女性用ショーツの股当て部に設置し、前記泌尿器を前記可撓性リングに当接させた状態で使用者の身体に装着することを特徴とする使捨て排尿具。
【請求項３】
前記可撓性リングの上端の左右にそれぞれ取り付けられた左紐帯および右紐帯と、
前記左紐帯に設けられた第１ファスナーと、
前記右紐帯に設けられた第２ファスナーと、
前記可撓性リングの下端から延出され、先端にフック部を有する中間紐帯とを備え、
前記受尿器を前記使用者の前記身体に装着する際、前記泌尿器を前記可撓性リングから前記受尿器に挿通した状態で、前記左紐帯および前記右紐帯を前記使用者の腹部の回りに配置して前記使用者の背後で前記第１ファスナーと前記第２ファスナーとを重ね合せた重合部で連結接合し、前記中間紐帯を前記使用者の股下を潜らせて、前記フック部を前記腹部の前記背後で前記重合部に引っ掛けることを特徴とする請求項１に記載の使捨て排尿具。
【請求項４】
前記可撓性リングおよび前記受尿器は、前記使用者が着用するパンツ型下着の股当て部の内側に配置される構造であることを特徴とする請求項１に記載の使捨て排尿具。
【請求項５】
前記パンツ型下着の前記股当て部には、前記泌尿器を収容した前記可撓性リングおよび前記受尿器を挿脱可能に装着する収容管部を設けたことを特徴とする請求項４に記載の使捨て排尿具。
【請求項６】
前記使用者がパンツ型おむつを着用する場合、前記パンツ型おむつの股当て部に形成され、前記排尿を受けて伸長した前記受尿器を外部に突き出すスリット状の切込み開口部を設けたことを特徴とする請求項１に記載の使捨て排尿具。
【請求項７】
前記排尿を受けた前記受尿器は、前記可撓性リングをその開口部分が閉塞した状態で封止する粘着テープを設けたことを特徴とする請求項１に記載の使捨て排尿具。
【考案の詳細な説明】
【技術分野】
【０００１】
本考案は、腰部に装着する使捨て用おむつに係り、とりわけ、排尿時の尿処理を手際よく迅速に行えるように改良した使捨て用おむつに関する。
【背景技術】
【０００２】
排尿処理に適用可能な受尿器および収尿器として、特許文献１に記載の排尿処理具がある。この排尿処理具は、疾病による尿失禁患者やトイレへの歩行に困難を伴う患者に適用される。使用時には、受尿器を装着ベルトで患者の身体に取付け、患者自身の泌尿器を円筒状の受尿器に挿入し、連結ホースを通じて収尿器に蓄尿している。
【０００３】
また、使い捨て排尿袋としては、特許文献２に記載され、おむつやミニトイレに利用する排尿処理具がある。この排尿袋は、取っ手を有する長方形状のビニール袋と、ビニール袋の中央部に設けた開口部と、開口部の周辺に設けた粘着テープを備えている。
【０００４】
排泄時には、ベッド上やつベッドサイドで粘着テープを使用者の局部（陰茎、会陰、肛門など）の外周囲（表皮面）に貼着し、開口部を通してビニール袋内に排尿および排便を受けて収容するようになっている。
なお、粘着テープが直接的に地肌への接触となるのを嫌う場合、衣類などの下端がカットされた開きのあるデザインを用いている。
【先行技術文献】
【特許文献】
【０００５】
【特許文献１】特開２００２−２２４１５２号公報
【特許文献２】特許第５６２６５５３号公報
【考案の概要】
【考案が解決しようとする課題】
【０００６】
特許文献１では、身体への装着具として受尿器、収尿器、装着ベルトおよび連結ホースなどの多くの部品が必要となり、装着者の移動の自由が束縛される虞がある。
【０００７】
また、特許文献２では、使用開始から終了まで汚物処理のため、細心さと配慮を必要とする上に、粘着テープで局部の外周囲に貼着する構成であり、取り扱いが面倒となる。さらに、採尿の姿勢は立位であり、採便の場合はスクワットのしゃがんだ体位となり、使用者にとって煩わしく、手際よく簡易かつ迅速に排尿・排便を処理できない虞がある。
【０００８】
本考案は上記の事情を考慮してなされたもので、その目的は、簡素な構成で、取り扱い易く、手際よく簡易かつ迅速に排尿処理可能で、併せて安価で使い勝手のよいといった実用的に優れた使捨て排尿具を提供することにある。                    
【課題を解決するための手段】
【０００９】
下記の請求項１および請求項２に係る両考案は、受尿器による構成であり、男女の区別はあるものの、互いに対応する特別な技術的特徴（ＳＴＦ）を有するため、「考案の単一性」（実用新案法第６条の本文）の要件を満たすものである。
（請求項１について）
本考案に係る使捨て排尿具では、男性の泌尿器に挿通可能な可撓性リングが着脱可能に設けられている。有底筒状の受尿器は、可撓性リングに連通状態に連結され、可撓性リングに対して伸縮可能に設けられ、泌尿器からの排尿を受ける。受尿器の内部には、排尿を吸収する吸収体が設けられている。受尿器を使用者の身体に装着する際には、受尿器を収縮させた状態で、泌尿器を可撓性リングから受尿器に挿通する。
【００１０】
請求項１では、男性の泌尿器に挿通可能な可撓性リングを着脱可能に設け、受尿器で排尿を受ける構成である。この構成により、排尿は有底筒状の受尿器の大きな容積で漏れることなく溜められ、排尿後に可撓性リングを受尿器と一緒に取り外すことで排尿処理を行うことができる。このため、受尿器が簡素な構成で取り扱い易くなり、手際よく簡易かつ迅速に排尿処理可能で、併せて安価で使い勝手のよいものである。
【００１１】
（請求項２について）
女性の泌尿器に当接可能で着脱可能な可撓性リングが設けられている。受尿器は、可撓性リングに連通状態に連結され、矩形の上シートと矩形の下シートとを上下に配置することにより袋状に構成されている。受尿器の内部には、排尿を吸収する吸収体が設けられている。
女性用ショーツの着用時、受尿器を女性用ショーツの股当て部に設置し、泌尿器を可撓性リングに当接させた状態で使用者の身体に装着する。
【００１２】
請求項２では、女性の泌尿器に当接可能な可撓性リングを着脱可能に設け、排尿を袋状の受尿器で受ける構成である。これにより、排尿後に可撓性リングを受尿器と一緒に取り外すことで排尿処理を行うことができる。
このため、受尿器が簡素な構成で取り扱い易くなり、手際よく簡易かつ迅速に排尿処理可能で、併せて安価で使い勝手のよいものである。
なお、請求項１と請求項とでは、排尿を受ける受尿器が共通し、関連事項としての着脱可能な可撓性リングが同一あるいは対応する特別の技術的特徴（ＳＴＦ）を有するものである。
【００１３】
（請求項３について）
可撓性リングの上端の左右にそれぞれ取り付けられた左紐帯および右紐帯を備える。左紐帯に第１ファスナーが設けられ、右紐帯に第２ファスナーが設けられている。可撓性リングの下端から延出され、先端にフック部を有する中間紐帯とを備えている。
受尿器を使用者の身体に装着する際、泌尿器を可撓性リングから受尿器に挿通した状態で、左紐帯および右紐帯を使用者の腹部の回りに配置し、使用者の背後で第１ファスナーと第２ファスナーとを重ね合せた重合部で連結接合する。この状態で、中間紐帯を使用者の股下を潜らせて、フック部を腹部の背後で重合部に引っ掛けるため、受尿器を使用者の身体にしっかりと確実に装着させることができる。
【００１４】
（請求項４について）
可撓性リングおよび受尿器は、使用者が着用するパンツ型下着の股当て部の内側に当接状態に配置される構造である。
このため、パンツ型下着を可撓性リングおよび受尿器を保持する手段として利用できる利点がある。
【００１５】
（請求項５について）
パンツ型下着の股当て部には、泌尿器を収容した可撓性リングおよび受尿器を挿脱可能に装着する収容管部を設けている。
このため、パンツ型下着の装着時に泌尿器を伸長させて受尿器に収容させた状態で収容管部内に装着させることができる。
【００１６】
（請求項６について）
使用者がパンツ型おむつを着用する場合、パンツ型おむつの股当て部に形成され、排尿を受けて伸張した受尿器を外部に突き出すスリット状の切込み開口部を設けている。
この場合、排尿を受けて伸長した受尿器が切込み開口部から外部に突き出るため、伸長した受尿器がパンツ型おむつ内に止まらなくなり、使用者に違和感を与えず、快適な装着性を損なうことがない。  
【００１７】
（請求項７について）
排尿を受けた受尿器は、可撓性リングをその開口部分が閉塞した状態で封止する粘着テープを設けている。
このため、排尿を受尿器に封止状態に溜め、排尿を溜めた受尿器をそのまま廃棄処理できて便利である。
【図面の簡単な説明】
【００１８】
【図１】（ａ）は使捨て排尿具を使用者に装着する際の説明図、（ｂ）は使捨て排尿具の斜視図である（第１実施例）
【図２】（ａ）、（ｂ）は使捨て排尿具を粘着テープで封止する操作を説明する斜視図、（ｃ）は可撓性リングを閉塞する動作を説明する平面図、（ｄ）は可撓性リングを閉塞した状態を示す使捨て排尿具の斜視図である（第１実施例の変形例）。
【図３】使捨て排尿具とパンツ型おむつとの分解斜視図である（第２実施例）。
【図４】粘着テープで受尿器の開口部を封止する操作を説明する斜視図である（第２実施例）。
【図５】（ａ）は使捨て排尿具をおむつに配置する際の斜視図、（ｂ）は使捨て使捨て排尿具をおむつに配置した際の平面図、（ｃ）は図５（ｂ）のＡ−Ａ線に沿う縦断面図である（第３実施例）。
【図６】（ａ）は使捨て排尿具をパンツ型おむつに配置する際の斜視図、（ｂ）は図６（ａ）のＡ１−Ａ１線に沿う縦断面図、（ｃ）は排尿時のパンツ型おむつの斜視図、（ｄ）は図６（ｃ）のＡ２−Ａ２線に沿う縦断面図である（第４実施例）。
【図７】（ａ）は使捨て排尿具を女性用ショーツに適用する際、受尿器を組み立てる手順を示す平面図、（ｂ）は受尿器を女性用ショーツの股当て部に配置した時の平面図である（第５実施例）。
【考案を実施するための形態】
【００１９】
本考案に係る使捨て排尿具では、泌尿器に挿通可能な可撓性リングを着脱可能に設け、受尿器で排尿を受ける構成である。これにより、排尿後に可撓性リングを受尿器と一緒に取り外すことで迅速かつ簡易に排尿処理を行うことができる特徴有する。
【実施例１】
【００２０】
本考案の実施例１を図１に基づいて説明する。
本考案に係る使捨て排尿具１は、疾病による尿失禁患者やトイレへの歩行に困難を伴う患者をはじめ、要介護の高齢者は勿論、高速道路で渋滞の自動車ドライバーや輸送トラックの長時間ドライバーの着用に好適となる。
上述の使捨て排尿具１では、図１に示すように、男性の泌尿器２（陰茎部２ａおよび陰嚢部２ｂ）に挿通可能な可撓性リング３が着脱可能に設けられている。
可撓性リング３は、例えばシリコーン樹脂により泌尿器２の外周囲の大きさに応じた内径寸法を有するように形成されている。
【００２１】
可撓性リング３には、有底筒状の受尿器４が可撓性リング３に連通状態に連結され、可撓性リング３に対して伸縮可能に設けられ、泌尿器２からの排尿を受ける。受尿器４は防水性で、例えば、天然ゴム系ラテックス（合成ゴム系ラテックス含む）あるいはポリウレタン系などの弾性体から可撓性リング３の内径に応じた開口径を有するように形成されている。
【００２２】
受尿器４の外周側は、受尿器４の軸方向Ｅに沿って伸縮し易いように、緩やかに連続起伏するベローズ風に仕立てられている。受尿器４は、その内部に排尿を吸収する吸収体５が吸水コアとして設けられており、図１（ａ）に示す装着時の収縮位置Ｈ１と図１（ｂ）に示す排尿時の伸長位置Ｈ２との間で自在に伸縮変形する。吸収体５は、受尿器４の内周面に貼着状態に設けてもよい。
受尿器４は、外周側の厚み寸法が０．０１ｍｍ〜０．０５ｍｍといったように極薄のため、ベローズ仕立ては要件ではなく、必要に応じて設ければよい。
【００２３】
なお、受尿器４の材質としては、ポリエチレン、ポリスチレン、ポリプロピレン、ポリ塩化ビニール等のビニール系ポリマーやポリエステル、ポリアミドなどの縮合系ポリマーを用いることができる。
【００２４】
吸収体５としては、パルプ繊維などの繊維集合体および繊維集合体に担持させた吸水性ポリマー粒子から成る。繊維集合体の繊維材料としては、よく知られているように、パルプ繊維をはじめ、レーヨン繊維、コットン繊維、酢酸セルロースなどの親水性繊維、ポリオレフィン系繊維（ポリエチレンやポリプロピレンなど）、縮合系繊維（ポリエステルやポリアミドなど）が適用可能である。
【００２５】
吸水性ポリマー粒子としては、既存の合成樹脂材料として、ポリアクリル酸ナトリウム、アクリル酸−ビニールアルコール、ポリアクリル酸ナトリウム橋架体、澱粉−アクリル酸グラフト共重合体、イソブチレン−無水マレイン酸共重合体、イソブチレン−無水マレイン酸共重合体のケン化物、あるいはポリアスパラギン酸などから成る粒子が適用可能である。
【００２６】
可撓性リング３の図示上端の左右には、ともに伸縮自在の左紐帯３ａおよび右紐帯３ｂがそれぞれ取り付けられ、左紐帯３ａおよび右紐帯３ｂの各先端部には、第１ファスナー３ｃおよび第２ファスナー３ｄが設けられている。可撓性リング３の図示下端からは、伸縮自在の中間紐帯３ｅが延出され、中間紐帯３ｅの先端にフック部３ｆを設けている。
【００２７】
受尿器４を使用者Ｕの身体に装着する際には、受尿器４を収縮位置Ｈ１に収縮させた状態で、泌尿器２を可撓性リング３から受尿器４に挿通する。この状態で、左紐帯３ａおよび右紐帯３ｂを使用者Ｕの左右から腹部Ａｐの回りに配置し、使用者Ｕの背後で第１ファスナー３ｃと第２ファスナー３ｄとを重ね合せた重合部で連結接合する。この状態で、中間紐帯３ｅは、使用者Ｕの股下３ｇを潜らせて、フック部３ｆを腹部Ａｐの背後で重合部に引っ掛ける。
【００２８】
なお、パンツ型下着６をブリーフやトランクスとして着用する際には、可撓性リング３および受尿器４は、使用者Ｕが着用するパンツ型下着６の股当て部６ａの内側に当接状態に配置されて保持される構造である（図１（ｃ）参照）。
排尿を受けた受尿器４は、泌尿器２から取り外した後、可撓性リング３をその開口部分３ｓが閉塞した状態で封止（シール）する粘着テープ７を設けている。
【００２９】
すなわち、図２（ａ）、（ｂ）に示すように、可撓性リング３の周縁部に取り付けた粘着テープ７から剥離紙８を剥がし取り、粘着テープ７を開口部分３ｓを覆うようにして翻して可撓性リング３の反対部分に貼着する。これにより、排尿を受尿器４に封止状態に溜め、排尿を溜めた受尿器４をそのまま廃棄処理できて便利である。
【００３０】
なお、図２（ｃ）、（ｄ）に変形例として示すように、可撓性リング３の内周部の半周部分に歯列部３Ａを設け、可撓性リング３の内周部の他の半周部分に凹列部３Ｂを設けてもよい。受尿器４を封止する際、可撓性リング３を押圧により弾性変形させて、歯列部３Ａと凹列部３Ｂとを液密に係合させるものである。
【００３１】
〔実施例１の効果〕
実施例１では、男性の泌尿器２に挿通可能な可撓性リング３を着脱可能に設け、受尿器４で排尿を受ける構成である。この構成により、排尿は有底筒状の受尿器４の大きな容積で漏れることなく溜められ、排尿後に可撓性リング３を受尿器４と一緒に取り外すことで排尿処理を行うことができる。このため、受尿器４が袋状といった簡素な構成で取り扱い易くなり、手際よく簡易かつ迅速に排尿処理可能で、併せて安価で使い勝手のよいものである。
【００３２】
また、可撓性リング３および受尿器４は、使用者Ｕが着用するパンツ型下着６の股当て部６の内側に当接して保持される構造である。このため、パンツ型下着６が可撓性リング３および受尿器４を保持する手段として機能する利点がある。
【実施例２】
【００３３】
本考案の実施例２を図３および図４に基づいて説明する。
実施例２では、パンツ型下着６をブリーフやトランクスとして着用する便宜のため、パンツ型下着６の股当て部６ａに収容管部６ｂを形成している。
このパンツ型下着６を着用する際には、使捨て排尿具１（可撓性リング３および受尿器４）が収容管部６ｂ内に挿脱可能に装着されるようになっている。このため、パンツ型下着６の装着時に泌尿器２を伸長させて受尿器４に収容させた状態で収容管部６ｂ内に装着させることができる。
【００３４】
この場合にも、排尿を受けた受尿器４は、泌尿器２から引出してパンツ型下着６の外部に取出した後、可撓性リング３をその開口部分３ｓが閉塞した状態で封止（シール）する粘着テープ７Ａを設ける。
粘着テープ７Ａは、図４（ａ）に示すように、上粘着部７ｘと下粘着部７ｙとを折目線７ｖを境界にして剥離可能に二枚折り重ねたもので、受尿器４の片側上端部に取り付けられている。
【００３５】
排尿後に粘着テープ７Ａを使用する際、図４（ｂ）に示すように、上粘着部７ｘを下粘着部７ｙから剥がす。この後、剥がした上粘着部７ｘおよび下粘着部７ｙを図４（ｃ）に示すように、上方に挙げてから、上粘着部７ｘおよび下粘着部７ｙの各接着面７ｕ、７ｗで開口部分３ｓを覆うようにして横切らせ、上粘着部７ｘ側を受尿器４の他側上端部に貼着する（図４（ｄ）参照）。
【実施例３】
【００３６】
本考案の実施例３を図５に基づいて説明する。
実施例３では、可撓性リング３および受尿器４とを有する排尿具４Ａをおむつ１０に適用した例を示す。おむつ１０の吸収シート１０ａには、図５（ａ）に示すように、股当て部１０ｂに排尿具４Ａに対応する窪み部１０ｃが設けられている。窪み部１０ｃの内底部には、排尿具４Ａの径寸法Ｄ１よりも若干大きな長さＤ２のスリット状の切込み開口部１１が形成されている。
【００３７】
排尿具４Ａは、図５（ｂ）に示すように、受尿器４を収縮させた状態で窪み部１０ｃ内に設置され、この状態のおむつ１０を使用者に着用させる。
【００３８】
このおむつ１０では、図５（ｃ）に示すように、排尿時に排尿を受けて伸長した受尿器４が切込み開口部１１を押圧により拡開させ、拡開させた切込み開口部１１から外部に突き出す。このため、伸張した受尿器４がおむつ１０内に止まらなくなり、使用者に違和感を与えず、快適な装着性を損なうことがない。  
【実施例４】
【００３９】
本考案の実施例４を図６に基づいて説明する。
実施例４では、可撓性リング３および受尿器４とを有する排尿具４Ａをパンツ型おむつ１３に適用した例を示す。
パンツ型おむつ１３の股当て部１３ａには、図６（ａ）、（ｂ）に示すように、スリット状の切込み開口部１３ｂを設けている。
【００４０】
このため、使用者がパンツ型おむつ１３を着用する場合、図６（ｃ）、（ｄ）に示すように、排尿時に排尿を受けて伸長した受尿器４が切込み開口部１３ｂを押圧により拡開させ、拡開させた切込み開口部１３ｂから外部に突き出るため、伸張した受尿器４がパンツ型おむつ１３内に止まらなくなり、使用者に違和感を与えず、快適な装着性を損なうことがない。  
【実施例５】
【００４１】
本考案の実施例５を図７に基づいて説明する。
実施例５では、使捨て排尿具を女性用ショーツ２１に適用した例を示す。
実施例５の場合、受尿器２２は、図７（ａ）に示すように、矩形の下シート２３と下シート２３の図示左右の折目線２３ａ、２３ｂにそれぞれ隣接する左右の直角三角シート２４、２５を有している。
【００４２】
下シート２３の図示前後の折目線２３ｃ、２３ｄにそれぞれ隣接する前後の直角三角シート２６、２７が設けられている。これら直角三角シート２４〜２７は、下シート２３と上下に配置されて袋状を成す矩形の上シートとして機能する。
左右の直角三角シート２４、２５の各直角部は、弧状の切欠き部２４ａ、２５ａを形成している。前後の直角三角シート２６、２７の各直角部は、弧状の切欠き部２６ａ、２７ａを形成している。
【００４３】
下シート２３の中央部に縦長の長円形を成す可撓性リング２８を配置し、左右の直角三角シート２４、２５を折目線２３ａ、２３ｂに沿って内側に折り曲げ、切欠き部２４ａ、２５ａを可撓性リング２８の対応部分に接合固定する。
この際、直角三角シート２４、２５の対応する斜辺同士はファスナーｆ１、ｆ２（ｆ３、ｆ４）により接合固定される。
【００４４】
また、前後の直角三角シート２６、２７を折目線２３ｃ、２３ｄに沿って内側に折り曲げ、切欠き部２６ａ、２７ａを可撓性リング２８の対応部分に接合固定する。
この際、直角三角シート２６の斜辺は、ファスナーｆ５、ｆ７により直角三角シート２４のファスナーｆ３、ｆ４に接合固定され、直角三角シート２７の斜辺は、ファスナーｆ６、ｆ８により直角三角シート２４のファスナーｆ１、ｆ２に接合固定される。これにより、内部に吸収体５を収容した袋状の受尿器２２が構成される。
【００４５】
可撓性リング２８は、女性の泌尿器（図示せず）に当接可能で着脱可能になっており、受尿器２２は、可撓性リング２８に連通状態に連結されている。女性用ショーツ２１の着用時、図７（ｂ）に示すように、受尿器２２を女性用ショーツ２１の股当て部２１ａに設置し、泌尿器を可撓性リング２２に当接させた状態で使用者の身体に装着する。
【００４６】
実施例５では、女性の泌尿器に当接可能な可撓性リング２８を着脱可能に設け、排尿を袋状の受尿器２２で受ける構成である。
この構成により、排尿は袋状を成す受尿器２２の大きな容積で漏れることなく溜められ、排尿後に可撓性リング２８を受尿器２２と一緒に取り外すことで排尿処理を行うことができる。
【００４７】
このため、受尿器２２が簡素な構成で取り扱い易くなり、手際よく簡易かつ迅速に排尿処理可能で、併せて安価で使い勝手のよいものである。
なお、袋状の受尿器２２は矩形に限らず、円形や長円形でもよく、三角形、平行四辺形、五角形、六角形あるいは７角形や８角形を含む多角形であってもよい。また、可撓性リング２８を省いて、受尿器２２の可撓性リング２８に対応した部分に、女性の泌尿器に面する開口部を設けてもよい。
【００４８】
〔変形例〕
上記実施例１〜５の使捨て排尿具は、高速道道路などで緊急に用便する必要があるときに使用する他、老人介護用に使用してもよく、とりわけ実施例５では、ナプキンなど女性の生理用品として使用してもよいなど、状況や環境に配慮して各種の場合に応じて適宜に使用する多用途化を図ることができる。
【００４９】
また、受尿器４の材質については、天然ゴムラテックスあるいはポリウレタンに代わって、ＥＰＤＭ（エチレン・プロピレン・ジエン・メチレンゴム）でもよく、あるいはポリアミド（ＰＡ）、ポリエステル、ポリイミド、ポリアミドイミド、ポリアセタール、ポリカーボネート（ＰＣ）、ポリフェニレンエーテル（ＰＰＥ）、ポリブチレンテレフタレート（ＰＢＴ）、ポリエチレンテレフタレート（ＰＥＴ）、ポリエチレン（ＰＥ）、ポリテトラフルオロエチレン（ＰＴＦＥ）あるいはシンジオタクチックポリスチレン（ＳＰＳ）などのエンジニアリングプラスチック材料を用いてもよい。
【産業上の利用可能性】
【００５０】
本考案に係る使捨て排尿具では、袋状の受尿器が簡素な構成で取り扱い易くなり、手際よく簡易かつ迅速に排尿処理可能で、併せて安価で使い勝手のよいため、使捨て排尿具の関連部品の需要を喚起して製造・流通を介して化学・機械産業界に適用可能となる。
【符号の説明】
【００５１】
１          使捨て排尿具
３          可撓性リング  
４          受尿器
４Ａ        排尿具
６          パンツ型下着
７          粘着テープ
２３        下シート
２４、２５  左右の直角三角シート（上シート）
２６、２７  前後の直角三角シート（上シート）
Ｈ１        収縮位置
Ｈ２        伸長位置
Ｕ          使用者
【図１】
0003219462.tif 000003
【図２】
0003219462.tif 000004
【図３】
0003219462.tif 000005
【図４】
0003219462.tif 000006
【図５】
0003219462.tif 000007
【図６】
0003219462.tif 000008
【図７】
0003219462.tif 000009